(57)【要約】      （修正有）【課題】送水口を有する筒状体の直下に、筒状体の管端部と送水配管系の管端部とを作業性が良く接続し、組み上げが行え、その後の設置個所や送水口の設置向きの変更が容易かつ確実に行え、故障時の修繕や内部部品の交換が容易に行える等、保守・点検に優れ、コンパクトであり、工事費、設備費も安価になる連結送水管ユニットを提供する。【解決手段】建造物に付随する消火設備に送水配水管系を介して消火用水ｗを供給するのに消防ポンプ自動車のホースを着脱可能に接続される送水口部３を有する送水口２を建造物の外部に設けた筒状体１に備え、該送水口２の直下の送水経路に、筒状体１の筒端部１ａと送水配水管６の管端部６ａとを、逆止・止水両用弁７を内部に着脱可能に装着した連結送水短管８を介して固着手段９により接続し、取付ける。【選択図】図１
0003162669.tif 000002
【実用新案登録請求の範囲】
【請求項１】
建造物に付随する消火設備に送水配水管系を介して消火用水を供給するのに消防ポンプ自動車のホースを着脱可能に接続される送水口を建造物の外部の筒体部に備え、該送水口の直下の送水経路に止水弁、逆止弁、排水弁のうちの何れか１つの弁、またはそれらを組み合わせた連結送水管ユニットであり、
前記筒状体の筒端部と送水配水管の管端部とを、消火用水の供給を逆止し、且つ止水をする逆止・止水両用弁を内部に着脱可能に装着した連結送水短管を介して固着手段により接続し、取付けることを特徴とする連結送水管ユニット。
【請求項２】
前記固着手段が、一次側の排水弁と、二次側の排水弁とが外周に設けられて前記筒状体の下端小径部を上端部内に挿入して着脱可能に一体に取付ける前記連結送水短管と、前記筒状体の外周に設けられた係合鍔部に係脱可能に係合され、且つ該係合鍔部を回転可能になす環状のフランジ部材と、前記連結送水短管の端部の外周に形成されたフランジ部と、で構成され、該フランジ部と前記フランジ部材とをボルトにて緊結、固定することを特徴とする請求項１に記載の連結送水管ユニット。
【請求項３】
前記筒状体が、前記ボルトを前記フランジ部材、および、前記フランジ部から螺退し、前記フランジ部材と前記フランジ部との緊結を分離後に、前記逆止・止水両用弁を内部に装着した前記連結送水短管に対して前記係合鍔部を介して軸芯周りに回動可能に設けられることを特徴とする請求項１または２に記載の連結送水管ユニット。
【請求項４】
前記連結送水短管の内部に組み込まれた逆止・止水両用弁の弁ユニットを境に、消火用水の供給側の一次側、または二次側に連通して個々に一次側の排水弁と、二次側の排水弁とを外部操作可能に前記連結送水短管の外周に設けたことを特徴とする請求項１−３の何れかに記載の連結送水管ユニット。
【請求項５】
複数個の前記送水口部は、前記筒状体の外周に縦に設けられたことを特徴とする請求項１−４の何れかに記載の連結送水管ユニット。
【請求項６】
複数個の前記送水口部は、前記筒状体の外周の左右に設けられたことを特徴とする請求項１−４の何れかに記載の連結送水管ユニット。
【請求項７】
前記逆止・止水両用弁の弁ユニットが、一次側の管端部内に一端が着脱自在に取付けられ、全体形状が一次側から二次側にわたり漸次径小に形成される筒状をなして二次側の後端には複数個の流水孔と中心には摺動孔とが開設された支持部材が設けられた弁ケースと、該弁ケース内に軸長方向に摺動可能に設けられ、前記弁ケースの一次側の内周に設けた弁座部に接離して開閉止され送水元に臨む略円錐状のキヤップが前面に形成された弁体と、一端が前記摺動孔内に摺動可能に挿入された弁ロッドと、該弁ロッド内に螺入されて前記支持部材の背部に添設可能な鍔状の添設部を後端部の外周に設けた止めボルトと、から形成されることを特徴とする請求項１−６の何れかに記載の連結送水管ユニット。
【考案の詳細な説明】
【技術分野】
【０００１】
本考案は連結送水管ユニットに関し、建造物に付随する消火設備、例えば屋内のスプリンクラー設備、消火栓設備、また、放水銃、散水ノズルのような消火に供する設備、器具等に送水配管系を介して消火用水を供給するのに、筒状体に消防ポンプ自動車のホースを着脱可能に接続する送水口の直下に接続され、消火用水の供給、停止が１つの弁により行えて迅速かつ確実に消火用水の供給が行え、また、内部部品を交換したり、内部を点検する時に、保守、点検が容易かつ確実に行え、施工性、操作性を優れたものにする。
【背景技術】
【０００２】
従来、例えばビルディングやマンション等の建造物では、出火時の初期消火に備える設備として建物に予め消火用水を供給するための送水配管系を配置したり、屋上や地下に消火用水を常時、貯留しておくための貯水タンクを設けることにより各階層毎に備え付けたボックス内に格納されている備え付けの放水用ホースにより初期消火に役立てていた。また、貯水タンクに貯められている消火用水だけでは足りない場合に、消防ポンプ自動車のポンプを駆動することにより建造物に備えられている消火設備としての送水配管系を通じて消火用水を所望階層の放水ノズル等の消火設備に供給することにより階層毎の消火活動を行っている。
【０００３】
ところで、消防法には建築物に付随して消火用水を送水する送水配管系には、連結送水管設備が介設されることが義務付けられているが、この連結送水管設備は、送水配管系の所定個所に介設される弁ユニット機構部と、この弁ユニット機構部の収容ケースとを備え、そして、前記弁ユニット機構部は、送水元側への逆流を阻止する逆止弁と、送水経路を開閉する止水弁と、逆止弁に対して一次側、または二次側に分岐して設けられた排水弁とを備え、これらの逆止弁と、止水弁と、排水弁とは対向するフランジ相互をボルト・ナットにより結合され、弁ユニット機構部に前記収容ケースを施蓋したものがあった（例えば特許文献１参照）。
【０００４】
また、屋内の消火栓設備等への送水配管系に消火用水を供給するのに、屋外に設ける筒状体に消防ポンプ自動車のホースを着脱可能に接続することにより消火用水を送水配管系に供給する送水口部を設けたスタンド型（自立型）の送水口があった。
【０００５】
ところで、前述の特許文献１記載の連結送水管設備以前の地下埋設型の連結送水管設備では、地下に設置穴を掘削してから該穴内にコンクリートブロック壁、またはコンクリートを打設してなる外体ボックスを造設し、この外体ボックス内に逆止弁と、この逆止弁の一次側（上流側）、および二次側（下流側）に二つの排水弁とを、組み付けるのに、パイプを所用長さに切断し、パイプの両端部にフランジを固着し、フランジ相互をボルト・ナットにより緊結したり、パイプの側部に取付孔を穿設してからソケットを溶接し、このソケットに２つの排水弁を設けるのに、多くの取り付けの手間および労力を省く観点から、前記スタンド型の送水口の筒状体の直下にフランジ付の短管内に設けた逆止弁、仕切弁、排水弁を接続するのに、ボルト・ナットにより対向するフランジ間を緊結してユニット化をはかることにより、スタンド型の送水口自体に地下埋設型の連結送水管設備、または地下半埋設型の連結送水管設備に替わる地上設置型の連結排水管設備をもたせたものがあった（例えば特許文献２参照）。
【先行技術文献】
【特許文献】
【０００６】
【特許文献１】特許第３００７０４５号公報
【特許文献２】実開平７−２１０６５号公報
【考案の概要】
【考案が解決しようとする課題】
【０００７】
しかしながら、特許文献２に記載の上記従来のスタンド型の送水口では、送水口部を左右に有する短尺の筒状体の下方部にフランジ付きの短管内にそれぞれ設けられた逆止弁と、仕切弁と、残水を排出するための排水弁とを、フランジにボルトを挿通してナットにて緊結する構造なので、施工現場において組上げて取付けを行うのには、地上に排水弁と、仕切弁と、逆止弁とを一定手順に従い、順次、定位置に下方より積み上げ、フランジにボルトを挿通してナットにて緊結して組み上げるとともに、筒状体の筒端部と、送水配管系の管端とを接続するものであるため、多くの労力と時間がかかっていた。しかも、高さも高く、大型に形成されるものであった。
【０００８】
しかも、特許文献２に記載の上記従来のスタンド型の送水口では、例えば地上に近い、すなわち、下方の排水弁や仕切弁が故障し、修繕をしたり、または、新たな部品と交換する場合には、ボルトとナットとの螺合を解くことによりフランジ相互の結合を分離し、排水弁と、仕切弁と、逆止弁との全てを分離しなければならなかった。そして、修繕後や新たな部品との交換後において、再組立てを行う場合には、フランジにボルトを挿通してナットにて緊結しなければならないので、多くの労力と時間がかかり、施工性が悪かった。この時、各弁相互の正確な位置決めを行うための微調整に多くの時間と労力がかかっていた。
【０００９】
さらに、特許文献２に記載の上記従来のスタンド型の送水口では、排水弁と、仕切弁と、逆止弁とは、個別に製作されてボルトとナットとにより一定手順に従い、順次、定位置に下方より積み上げ、フランジにボルトを挿通してナットにて緊結して組み上げる構造なので、製作が容易ではなく、製作費、および資材費が高価になっていた。
【００１０】
また、特許文献２に記載の上記従来のスタンド型の送水口を有する上記従来の連結送水管設備では、建造物に予め設置された送水配管系、貯水タンクの設置個所、屋外に設けた連結送水管設備から建造物の送水配管系に伸びる送水配管の敷設個所、設置方向、建造物の設置向き、建造物の周囲の敷地面積の広さ等に合わせて検討されて選定された設置個所に一度、地下半埋設型の連結配水管設備やスタンド型の送水口を設置してしまうと、その後に何らかの事情の変更によりその設置個所や設置向きを変更するのは容易ではなく、改修を行うか、新たな連結排水管設備を造設しなければならなかった。また、消防ポンプ自動車のホースを着脱可能に接続する送水口の設置向きを連結送水管設備の造設後に変更する場合にも新たな送水口の設置が必要になり、新たな施工工事や新たな費用を生ずることになっていた。
【００１１】
本考案は上記従来の不都合を解決し、送水口を有する筒状体の直下に、該筒状体の管端部と送水配管系の管端部とを検討されて選定された設置個所に多くの労力と時間を要することなく作業性が良く接続し、組み上げが行え、また、一度、連結送水管ユニットを設置した場合でも、その後の送水口の設置向きの変更が容易かつ確実に行え、しかも、逆止・止水両用弁が故障した場合の修繕や内部部品の交換が容易に行える等、保守・点検に優れ、さらには、コンパクトであり、工事費、設備費も安価な連結送水管ユニットを提供しようとする。
【課題を解決するための手段】
【００１２】
本考案は上記課題に鑑みなされ、請求項１に記載の考案は、
建造物に付随する消火設備に送水配管系を介して消火用水を供給するのに消防ポンプ自動車のホースを着脱可能に接続される送水口を建造物の外部に設けた筒状体に備え、該送水口の直下の送水経路に止水弁、逆止弁、排水弁のうちの何れか１つの弁、またはそれらを組み合わせた連結送水管ユニットであり、
前記筒状体の筒端部と送水配水管の管端部とを、消火用水の供給を逆止し、且つ止水をする逆止・止水両用弁を内部に着脱可能に装着した連結送水短管を介して固着手段により接続し、取付けることを特徴とする。
【００１３】
また、本考案の請求項２に記載の考案は、請求項１において、前記固着手段が、一次側の排水弁と、二次側の排水弁とが外周に設けられて前記筒状体の下端小径部を上端部内に挿入して着脱可能に一体に取付ける前記連結送水短管と、前記筒状体の外周に形成された係合鍔部に係脱可能に係合され、且つ該係合鍔部を回転可能になす環状のフランジ部材と、前記連結送水短管の端部の外周に形成されたフランジ部と、で構成され、該フランジ部と前記フランジ部材とをボルトにて緊結、固定することを特徴とする。
【００１４】
また、本考案の請求項３に記載の考案は、請求項１または２において、前記筒状体が、前記ボルトを前記フランジ部材、および、前記フランジ部から螺退し、前記フランジ部材と前記フランジ部との緊結を分離後に、前記逆止・止水両用弁を内部に装着した前記連結送水短管に対して前記係合鍔部を介して筒体部を軸芯周りに回動可能に設けられることを特徴とする。
【００１５】
また、本考案の請求項４に記載の考案は、請求項１−３の何れかにおいて、前記連結送水短管の内部に組み込まれた逆止・止水両用弁の弁ユニットを境に、消火用水の供給側の一次側、または二次側に連通して個々に一次側の排水弁と、二次側の排水弁とを外部操作可能に前記連結送水短管の外周に設けたことを特徴とする。
【００１６】
また、本考案の請求項５に記載の考案は、請求項１−４の何れかにおいて、複数個の前記送水口部は、前記筒状体の外周に縦に設けられたことを特徴とする。
【００１７】
また、本考案の請求項６に記載の考案は、請求項１−４の何れかにおいて、複数個の前記送水口部は、前記筒状体の外周の左右に設けられたことを特徴とする。
【００１８】
また、本考案の請求項７に記載の考案は、請求項１−６の何れかにおいて、前記逆止・止水両用弁の弁ユニットが、一次側の管端部内に一端が着脱自在に取付けられ、全体形状が一次側から二次側にわたり漸次径小に形成される筒状をなして二次側の後端には複数個の流水孔と中心には摺動孔とが開設された支持部材が設けられた弁ケースと、該弁ケース内に軸長方向に摺動可能に設けられ、前記弁ケースの一次側の内周に設けた弁座部に接離して開閉止され送水元に臨む略円錐状のキヤップが前面に形成された弁体と、一端が前記摺動孔内に摺動可能に挿入された弁ロッドと、該弁ロッド内に螺入されて前記支持部材の背部に添設可能な鍔状の添設部を後端部の外周に設けた止めボルトと、から形成されることを特徴とする。
【考案の効果】
【００１９】
本考案の請求項１に記載の考案によれば、建造物に付随する消火設備に送水配管系を介して消火用水を供給するのに消防ポンプ自動車のホースを着脱可能に接続される送水口を建造物の外部に設けた筒状体に備え、該送水口の直下の送水経路に止水弁、逆止弁、排水弁のうちの何れか１つの弁、またはそれらを組み合わせた連結送水管ユニットであり、前記筒状体の筒端部と送水配水管の管端部とを、消火用水の供給を逆止し、且つ止水をする逆止・止水両用弁を内部に着脱可能に装着した連結送水短管を介して固着手段により接続し、取付けることを特徴とするので、施工現場において多くの労力と時間がかかることなく、施工性良く筒状体の筒端部と送水配水管の管端部とを接続し、組上げを行うことができ、コンパクトに仕上がる。
【００２０】
しかも、筒状体の筒端部と送水配水管の管端部とを接続するための連結送水短管内に着脱可能に装着された逆止・止水両用弁は、消火用水の供給を逆止するとともに、止水をするものであるので、故障した場合に、修繕をしたり、または、新たな部品と交換するのには、ボルトの緊結を解いてフランジ部材とフランジ部とを分離して筒状体を取外すことにより容易かつ迅速に逆止・止水両用弁を修繕をしたり、または、新たな部品と交換することができ、施工性が良い。さらに、製作が容易であり、製作費、資材費、工事費は安価になる。
【００２１】
さらに、請求項１に記載の考案によれば、連結送水管ユニットを一度、屋外に設置してしまっても、その後の何らかの事情の変更により設置個所や設置向きを変更する場合に、建造物に付随する消火施設、例えば建造物に予め設置された送水配管系までの距離、送水配水管の敷設個所、設置方向、建造物の設置向き、建造物の周囲の敷地面積の広さ等に合わせて迅速かつ確実に設置個所や設置向きを変更することができる。また、消防ポンプ自動車のホースを着脱可能に接続する送水口の設置向きを造設後に変更する場合にも新たな送水口の設置や新たな施工工事が不要になり、迅速かつ確実に送水口の変更が行える。
【００２２】
また、本考案の請求項２に記載の考案によれば、前記固着手段が、一次側の排水弁と、二次側の排水弁とが外周に設けられて前記筒状体の下端小径部を上端部内に挿入して着脱可能に一体に取付ける前記連結送水短管と、前記筒状体の外周に設けられた係合鍔部に係脱可能に係合され、且つ該係合鍔部を回転可能になす環状のフランジ部材と、前記連結送水短管の上端部の外周に形成されたフランジ部と、で構成され、該フランジ部と前記フランジ部材とをボルトにて緊結、固定することを特徴とするので、施工現場において多くの労力と時間がかかることなく、施工性良く組上げを行うことができ、筒状体の筒端部と送水配水管の管端部とを接続することができ、コンパクトに仕上がる。故障した場合に、修繕をしたり、または、新たな部品と交換するのには、ボルトの緊結を解いてフランジ部材とフランジ部とを分離して筒状体を取外すことにより容易かつ迅速に逆止・止水両用弁を修繕をしたり、または、新たな部品と交換することができ、施工性が良い。
【００２３】
しかも、筒状体の筒端部と送水配水管の管端部とを接続するための連結送水短管内に着脱可能に装着された逆止・止水両用弁は、消火用水の供給を逆止するとともに、止水をするものであるので、組上げや接続、分離、取り扱いが便利であり、さらに、製作が容易であり、製作費、および資材費は安価であり、嵩張らずにコンパクトに接続される。
【００２４】
また、本考案の請求項３に記載の考案によれば、前記筒状体が、前記ボルトを前記フランジ部材、および、前記フランジ部から螺退し、前記フランジ部材と前記フランジ部との緊結を分離後に、前記逆止・止水両用弁を内部に装着した前記連結送水短管に対して前記係合鍔部を介して筒状体を軸芯周りに回動可能に設けられることを特徴とするので、検討されて選定された設置個所にボルトにより筒状体の外周に形成された係合鍔部に係脱可能に係合される環状のフランジ部材と、連結送水短管の外周に設けたフランジ部とを緊結することにより一度、連結送水管ユニットを設置した場合でも、その後の何らかの事情の変更を生じた場合に、筒状体の筒端部を逆止・止水両用弁を内部に着脱可能に装着した連結送水短管に接続された送水配水管の管端部に対して軸芯周りに少数人にて回動操作することにより送水口の設置向きの変更が迅速かつ確実に行え、施工性が優れ、工事費、設備費も安価になる。
【００２５】
また、本考案の請求項４に記載の考案によれば、前記連結送水短管の内部に組み込まれた逆止・止水両用弁の弁ユニットを境に、消火用水の供給側の一次側、または二次側に連通して個々に一次側の排水弁と、二次側の排水弁とを外部操作可能に前記連結送水短管の外周に設けたことを特徴とするので、消防ポンプ自動車の消防ホースの接続金具を筒状体に設けた接続口に接続することにより消火時において消火用水を建造物に備えられている送水配管系を通じて所望階層の例えばスプリンクラー、放水ノズル、放水銃等の消火設備に供給した後に、消防ポンプ自動車のホースの管端部に設けた接続金具の接続を送水口部から解除してから、逆止・止水両用弁を境に、消火用水の供給側の一次側に設けた排水弁を開くことにより、逆止・止水両用弁に対して一次側（上流側）の管内に混入している空気を放出して管内圧力を低下し、送水口部に接続されている消防ポンプ自動車の消防ホースの接続金具が、管内に負圧が発生することにより取り外しが困難になるのを防止したり、一次側の筒状体内に消火用水が残存することによる凍結を防止することができる。また、消火用水の供給側の二次側（下流側）に設けた排水弁を開くことにより、逆止・止水両用弁に対して二次側に位置する例えば建造物内部の放水設備工事や保守・点検を行う時等に解放し、空気を入れることにより逆止・止水両用弁に対して二次側の管内に残留する水を排出する。
【００２６】
また、本考案の請求項５に記載の考案によれば、複数個の前記送水口部は、前記筒状体の外周に縦に設けられたことを特徴とするので、筒状体の設置位置を建造物に予め設置された送水配管系、貯水タンクの設置個所、建造物の送水配管系に敷設した送水配水管の敷設個所、設置方向、建造物の設置向き、建造物の周囲の敷地面積の広さ等に合わせて検討されて選定された設置個所を考慮して所望方向に送水口部を設けることができる。
【００２７】
また、本考案の請求項６に記載の考案によれば、数個の前記送水口部は、前記筒状体の外周の左右に設けられたことを特徴とするので、筒状体の設置位置を建造物に予め設置された送水配管系、貯水タンクの設置個所、建造物の送水配管系に敷設した送水配水管の敷設個所、設置方向、建造物の設置向き、建造物の周囲の敷地面積の広さ等に合わせて検討されて選定された設置個所を考慮して筒状体の外周に設けた左右の送水口部の所望の何れかを容易かつ確実に所望方向に選定することができる。
【００２８】
また、本考案の請求項７に記載の考案によれば、前記逆止・止水両用弁の弁ユニットが、一次側の管端部内に一端が着脱自在に取付けられ、全体形状が一次側から二次側にわたり漸次径小に形成される筒状をなして二次側の後端には複数個の流水孔と中心には摺動孔とが開設された支持部材が設けられた弁ケースと、該弁ケース内に軸長方向に摺動可能に設けられ、前記弁ケースの一次側の内周に設けた弁座部に接離して開閉止され送水元に臨む略円錐状のキヤップが前面に形成された弁体と、一端が前記摺動孔内に摺動可能に挿入された弁ロッドと、該弁ロッド内に螺入されて前記支持部材の背部に添設可能な鍔状の添設部を後端部の外周に設けた止めボルトと、から形成されることを特徴とするので、逆止・止水両用弁を弁ケース内に容易に組付けることができる。また、弁体、弁座部、弁ロッド、捲ばね、支持部材等の部品が機械的疲労や摩耗により故障の原因になったり、新たな部品と交換する必要を生じた場合に、筒状体の外周に形成された係合鍔部に係脱可能に係合される環状のフランジ部材と、連結送水短管の外周に形成されたフランジ部とのボルトの緊結を解くことにより一次側に筒状体が取り付けられている連結送水短管と送水配管との接続を解除する。このようにして連結送水管ユニットとしての筒状体を送水配水管に対して接続を解除してから、連結送水短管の内周に設けた雌ねじ部から弁ケースの一次側の管端外周に設けた雄ねじ部を螺退して取り外す。それから、添設部を後端部の外周に設けた止めボルトを弁ロッドから螺退して取り外し、支持部材と、弁体と、弁ロッドと、捲ばね等の部品を取り外して新たなものと交換する。そして、逆止・止水両用弁の部品を新たなものと交換した後は、連結送水管ユニットを接続する接続作業と同様に再び連結送水短管の管端内周に設けた雌ねじ部に弁ケースの一次側の管端外周に設けた雄ねじ部を螺入して弁ケースを取付けることにより組み込む。この時、弁ケース内には、弁体と、弁ロッドと、捲ばねと、支持部材とを組み込み、しかも、弁ロッドの後端には止めボルトを螺入することにより添設部にて前記支持部材を係止して組み込む。
【図面の簡単な説明】
【００２９】
【図１】図１は本考案の連結送水管ユニットの実施形態１を示す断面図である。
【図２】図２は同じく正面図である。
【図３】図３は同じく筒状体と送水配水管とを連結送水短管を介して接続している状態を示す拡大断面図である。
【図４】図４は同じく拡大平面図である。
【図５】図５は同じく接続状態を示す回路図である。
【図６】図６は本考案の連結送水管ユニットの実施形態２を示す正面図である。
【図７】図７は同じく平面図である。
【図８】図８は同じく断面図である。
【考案を実施するための形態】
【００３０】
以下、図面に従って本考案の実施の最良の形態により、本考案の詳細を説明する。
【００３１】
本実施形態の連結送水管ユニットは、建造物に付随する消火設備に送水配水管系Ｋを介して消火用水Ｗを供給するのに消防ポンプ自動車のホースを着脱可能に接続される単数または複数個の送水口部３を有する送水口２を建造物の外部に設けた筒状体１に備え、該送水口２の直下の送水経路に止水弁、逆止弁４、排水弁５のうちの何れか１つの弁、またはそれらを組み合わせた連結送水管ユニットであり、前記筒状体１の筒端部１ａと送水配水管６の管端部６ａとを、消火用水Ｗの供給を逆止し、且つ止水をする逆止・止水両用弁７を内部に着脱可能に装着した連結送水短管８を介して固着手段９により接続し、取付けることを特徴とする。
【００３２】
また、前記固着手段９が、一次側の排水弁５Ａと、二次側の排水弁５Ｂとが外周に設けられて前記筒状体１の下端小径部１ｂを上端部８ａ内に挿入して着脱可能に一体に取付ける前記連結送水短管８と、前記筒状体１の外周に配置された係合鍔部１Ａに係脱可能に係合され、且つ該係合鍔部１Ａを回転可能になす環状のフランジ部材１０と、前記連結送水短管８の上端部８ａの外周に設けられたフランジ部８ｂと、で構成され、該フランジ部８ｂと前記フランジ部材１０とを複数個のボルト１１にて緊結、固定する。
【００３３】
また、１２は前記係合鍔部１Ａに装着した水密性を発揮するＯリングであり、このＯリング１２は例えば合成樹脂により形成され、前記ボルト１１を前記フランジ部材１０、および、前記フランジ部８ｂから螺退後に、前記筒状体１が前記逆止・止水両用弁７を内部に装着した前記連結送水短管８に対して筒状体１を前記係合鍔部１Ａを介して軸芯Ｉ周りに回動可能となる。
【００３４】
また、前記排水弁５Ａは前記連結送水短管８の内部に組み込まれた逆止・止水両用弁７の弁ユニットを境に、消火用水ｗの供給側の一次側Ｎ１に設られ、また、前記排水弁５Ｂは消火用水ｗの二次側Ｎ２に連通して個々に設けられることにより一次側の排水弁５Ａと、二次側の排水弁５Ｂとを外部操作可能に前記連結送水短管８の外周に設けられる。
【００３５】
また、本実施形態では、図１、図２に示すように、複数個、２個の前記送水口部３,３が、前記筒状体1の外周に縦に設けられているが、これは例示であり、これに限ることなく、数個、例えば２個の前記送水口部３,３は、図６乃至図８に示すように前記筒状体１の外周の左右に設けることもできる。そして、これらの送水口部３,３は、筒状体１の設置位置を建造物に予め設置された送水配管系Ｋ、貯水タンクの設置個所、屋外に設ける連結送水管ユニットとしての筒状体１から建造物の送水配管系Ｋに敷設した送水配水管６の敷設個所、設置方向、建造物の設置向き、建造物の周囲の敷地面積の広さ等に合わせて検討されて選定された設置個所を考慮して所望位置に送水口部３,３を設けることができる。
【００３６】
また、前記逆止・止水両用弁７の弁ユニットが、連結送水短管８内に一端が着脱自在に取付けられ、全体形状が一次側Ｎ１から二次側Ｎ２にわたり漸次径小に形成される筒状をなして二次側Ｎ２の後端には複数個の流水孔１４ａと中心には摺動孔１４ｂとが開設された支持部材１４が設けられた弁ケース１３と、該弁ケース１３内に軸長方向Ｘに摺動可能に設けられ、前記弁ケース１３の一次側Ｎ１の内周に設けた弁座部１３ｂに接離して開閉止され、送水元に臨む略円錐状のキヤップ１５が前面に形成された弁体１６と、一端が前記摺動孔１４ｂ内に摺動可能に挿入された弁ロッド１７と、該弁ロッド１７内に螺入されて前記支持部材１４の背部に添設可能な鍔状の添設部１８ａを後端部の外周に設けた止めボルト１８とから形成される。
【００３７】
２０は前記送水口部３,３に着脱自在に装着される蓋体であり、この蓋体２０は前記筒状体１に鎖２１を介して連繋される。２２は前記送水口部３,３内に設けられた係止弁体である。また、２３は筒状体１の連結送水短管８に対する接続個所の外周側を着脱自在に覆うカバーである。
【００３８】
本考案の実施形態は以上の構成からなり、消防法が規定する建造物に付随する消火設備、例えば屋内のスプリンクラー設備、消火栓設備、散水ノズル、放水銃等への送水配水管系Ｋに接続可能に消防ポンプ自動車のホースが着脱可能に接続されて消火用水ｗを供給するための複数個、本実施形態では縦に２個の送水口部３,３を有する送水口２を設けた筒状体１を屋外に設置するのに施工を行うのには、図３に示すように屋外から送水配管系Ｋに伸びる送水排水管６の上端の管端部６ａに、内部に逆止・止水両用弁７を着脱可能に装着している連結送水短管８の下端を、雄ねじと雌ねじとの螺合による螺合手段により取付け、連結送水短管８の上半部を地上に臨むように設置する。それから、前記筒状体１の下端外周に雄ねじと雌ねじとの螺合による螺合手段により取付けられている係合鍔部１Ａに係合可能に係合され、かつ回転可能なフランジ部材１０と、前記連結送水短管８のフランジ部８ｂとを対向し、このフランジ部材１０と、前記フランジ部８ｂとに設けられた重合するボルト孔内にボルト１１を螺入することにより緊結し、前記筒状体１の筒端部１ａと送水配水管６の管端部６ａとを連結送水短管８を介して固着手段９により接続し、取り付けが迅速かつ確実に行われる。
【００３９】
この際、送水口２の設置位置、および設置方向は、例えば建造物に予め設置された送水配管系Ｋ、貯水タンクの設置個所、建造物の送水配管系Ｋに伸びる送水配水管６の屋外での敷設個所、設置方向、建造物の設置向き、建造物の周囲の敷地面積の広さ等に合わせて検討されて選定される。
【００４０】
このようにして送水口２を備えた筒状体１が選定された設置個所、および設置方向に送水口２の設置方向を一度、設置した場合でも、その後に何らかの事情の変更を生じた場合に、設置向きの変更を行うには、複数個のボルト１１を螺退させて緩めると、筒状体１の下端外周が螺合手段により取付けられている係合鍔部１Ａは、ボルト１１の締め付けによるフランジ部材１０の押圧が解放されることによって回動可能になる。
【００４１】
その後、筒状体１の筒端部１ａを下端、外周に係合鍔部１Ａを取り付けたまま、逆止・止水両用弁７の弁ユニットを内部に組付けている連結送水短管８に対して軸芯Ｉ周りに回動操作することにより消防ポンプ自動車のホースが着脱可能に接続される送水口部３,３を有する筒状体１の設置向きを所望方向に迅速かつ確実に回動し、変更することができる。従って、消防ポンプ自動車のホースを着脱可能に接続する送水口２の設置向きを一度、設置した場合でも、容易かつ確実に変更でき、新たな送水口２の設置を必要とせずに、新たな施工工事や新たな費用を生ずることがなくなる。
【００４２】
この際、１人にても前記逆止・止水両用弁７を内部に装着した状態にて円滑かつ安定に、しかも、多くの労力を要せずに軽快に回動操作をすることができ、便利である。
【００４３】
そして、送水口部３,３の設置向きを所望方向に変更した後に、筒状体１の外周に形成された係合鍔部１Ａに係脱可能に係合される環状のフランジ部材１０と、連結送水短管８の外周に設けたフランジ部８ｂとのボルト孔に再びボルト１１を螺入するようにして前記環状のフランジ部材１０と、フランジ部８ｂとを緊結すれば、筒状体１の筒端部１ａを送水配水管６の管端部６ａに逆止・止水両用弁７を組付けた連結送水短管８を介して再び接続することができる。
【００４４】
このようにして、屋外に設けられる筒状体１に消防ポンプ自動車のホースを着脱可能に接続させて消火用水ｗを屋内のスプリンクラー設備や消火栓設備等への送水配水管系Ｋに供給するには、蓋体２０を脱嵌してから送水口部３に消防ポンプ自動車のホースの接続金具を接続してから、ポンプを駆動させると、消火用水ｗはポンプの高水圧により筒状体１に設けた送水元となる送水口部３，３内に装設されている弁体２２を捲きばねの附勢力に抗して押し込むことにより開弁し、筒状体１内に流入される。そして、消火用水ｗが、前
記筒状体１の筒端部１ａと送水配水管６を接続している連結送水短管８内に取り付けられている逆止・止水両用弁７の弁ユニットにおける弁体１６を捲きばね１９の附勢力に抗して押し込んで弁座部１３ｂから離脱させて開弁させるので、弁ケース１３内に流入される消火用水ｗは弁ロッド１７に沿って高速流になって抵抗は少なく、管内の圧力損失が少ない状態で流れ、送水配水管６を通じて屋内に設けられている送水配水管系Ｋに送水が行われ、例えば、スプリンクラー設備、消火栓設備、散水ノズル、放水銃等へ供給し、消火の途に供することができる。
【００４５】
そして、消防ポンプ自動車から供給される消火用水ｗの勢いが弱まれば、捲きばね１９の附勢力により弁体１６が弁座部１３ｂに着座して弁体１６は閉止されるので、消火用水ｗは一次側Ｎ１から二次側Ｎ２への供給が停止され、止水が行われる。このように、本実施形態は、特許文献２に記載のスタンド型の送水口では、短尺の筒状体の下方部に、フランジ付きの短管内に設けた個別の逆止弁と、仕切弁と、排水弁との３種類の弁ユニットを順次、下方より積み上げて短管のフランジにボルトを挿通してナットにて緊結して組み上げるのとは異なり、筒状体１の筒端部１ａと、送水配水管６の管端部６ａとの間に接続される連結送水短管８内に消火用水ｗの逆止と、止水とが１つの弁ユニットにて行える逆止・止水両用弁７を装着しているので、コンパクトな外容積にて筒状体１と、逆止・止水両用弁７と、送水配水管６との接続作業の効率化がはかれるとともに、構造が簡素化され、部品数も削減され、製作費、設備費、資材費は削減される。
【００４６】
また、消火用水ｗを屋内のスプリンクラー設備、消火栓設備、散水ノズル、放水銃等への送水配管系Ｋに供給した後は、逆止・止水両用弁７を境に、消火用水ｗの供給側の一次側Ｎ１に設けた一次側の排水弁５Ａを開くことにより、逆止・止水両用弁７に対して一次側Ｎ１（上流側）の管内に混入している空気を放出して管内圧力を低下させ、送水口部３,３に接続されている消防ポンプ自動車の消防ホースの接続金具が、管内に負圧が発生することにより取り外しが困難になるのを防止したり、一次側Ｎ１の筒状体１内に消火用水ｗが残存することによる凍結を防止することができる。また、消火用水ｗの供給側の二次側Ｎ２（下流側）に設けた二次側の排水弁５Ｂを開くことにより、逆止・止水両用弁７に対して二次側Ｎ２に位置する例えばビルディング等の建造物内部の放水設備工事や保守・点検を行う時等に解放し、空気を入れることにより逆止・止水両用弁７に対して二次側Ｎ２の管内に残留する水を解放することができる。
【００４７】
また、本実施形態の逆止・止水両用弁７のユニットが故障し、新たなものと交換したり、または、弁体１６、弁座部１３ｂ、弁ロッド１７、捲ばね１９、支持部材１４等の部品が機械的疲労や摩耗により故障の原因になって新たな部品と交換する必要を生じた場合には、前述のように、筒状体１の外周の下方に配置した係合鍔部１Ａに係脱可能に係合される環状のフランジ部材１０と、連結送水短管８の外周に設けたフランジ部８ｂとの緊結をボルト１１を螺退することにより解き、筒状体１と、送水配水管６との接続を解除する。
【００４８】
こうして、連結送水管ユニットとしての筒状体１の送水配水管６への接続を解除してから、連結送水短管８の一次側Ｎ１の内周に設けた雌ねじ部ｍ２から弁ケース１３の一次側Ｎ１の管端外周に設けた雄ねじ部ｍ１を螺退することにより連結送水短管８から逆止・止水両用弁７の弁ユニットを弁ケース１３毎取り外す。それから、施工現場において、添設部１８ａを後端部の外周に設けた止めボルト１８を弁ロッド１７から螺退して取り外すことにより、支持部材１４と、弁体１６と、弁ロッド１７と、捲ばね１９等の部品を弁ケース１３から取り外すことによって新たな部品と交換する。この部品の交換作業には、弁ケース１３内に、交換を必要とする弁体１６、弁ロッド１７、捲ばね１９、支持部材１４を組み込み、その後、弁ロッド１７に後端から止めボルト１８を螺入することにより添設部１８ａにて前記支持部材１４を係止することにより、新たな部品との交換を行っても良いし、または、本実施形態の連結送水管ユニット毎工場に運搬することにより、前述のような操作、および取り扱いにより部品の交換や修繕をおこなってもよい。
【００４９】
そして、逆止・止水両用弁７の部品を新たなものと交換後は、再び連結送水短管８の一次側Ｎ１の内周に設けた雌ねじ部ｍ２に弁ケース１３の一次側Ｎ１の管端外周に設けた雄ねじ部ｍ１を螺入することにより新たな逆止・止水両用弁７を連結送水短管８内に取り付けて再度の使用に供する。
【００５０】
なお、上記実施形態では図１，および図２に示すように、筒状体１に設ける送水口部３,３が複数個、２個縦に設けたものが使用されているが、送水口部３,３の設置方向は縦に設けられたものに限らず、図６、図７に示すように、筒状体１の左右に設けられたものでも良く、しかも、設置個数は複数のものに限ることなく、単数であっても良い。
【産業上の利用可能性】
【００５１】
本考案は、送水口を有する筒状体の直下に、該筒状体の管端部と送水配水管系の管端部とを検討されて選定された設置個所に多くの労力と時間を要することなく作業性が良く接続し、組み上げが行え、また、一度、連結送水管ユニットを設置した場合でも、その後の送水口の設置向きの変更が容易かつ確実に行え、しかも、逆止・止水両用弁が故障した場合の修繕や内部部品の交換が容易に行える等、保守・点検に優れ、さらには、コンパクトであり、工事費、設備費も安価な用途・機能に適する。
【符号の説明】
【００５２】
１      筒状体
１Ａ    係合鍔部
２      送水口
３      送水口部
４      逆止弁
５      排水弁
５Ａ    一次側の排水弁
５Ｂ    二次側の排水弁
６      送水配水管
７      逆止・止水両用弁
８      連結送水短管
８ｂ    フランジ部
９      固着手段
１０    フランジ部材
１１    ボルト
１２    Ｏリング
１３    弁ケース
１３ｂ  弁座部
１４    支持部材
１５    キャップ
１６    弁体
１７    弁ロッド
１８    止めボルト
Ｉ      軸芯
Ｋ      送水配水管系
Ｎ１    一次側
Ｎ２    二次側
ｗ      消火用水
【図１】
0003162669.tif 000003
【図２】
0003162669.tif 000004
【図３】
0003162669.tif 000005
【図４】
0003162669.tif 000006
【図５】
0003162669.tif 000007
【図６】
0003162669.tif 000008
【図７】
0003162669.tif 000009
【図８】
0003162669.tif 000010